(57)【要約】  【課題】背もたれと座とをシンクロさせて傾動させることのでき、背もたれが起立姿勢にある場合に着座者の大腿部への圧迫感を軽減するとともに、着座者に前方へ滑り落ちるような不安感を与えない椅子を提供する。  【解決手段】座４を、着座者の大腿部を支持し得る座前半部４Ａと、着座者の臀部を支持し得る座後半部４Ｂとに分割し、背もたれ５が起立姿勢（５Ｘ）にある場合に、座前半部４Ａを前傾姿勢にするとともに、座後半部４Ｂを略水平姿勢にし、背もたれ５の起立姿勢（５Ｘ）から後傾姿勢（５Ｙ）への姿勢変更に伴って、座後半部４Ｂを後傾させるとともに、座後半部４Ｂの後傾に連動させて座前半部４Ａを後傾させる傾動機構９を備えたものとした。【選択図】図１
2008212399.tif 000002
【特許請求の範囲】
【請求項１】
起立姿勢と後傾姿勢との間で傾動可能な背もたれと、当該背もたれの傾動動作に連動して傾動する座とを備えた椅子であって、
前記座が、主として着座者の大腿部を支持し得る座前半部と、主として着座者の臀部を支持し得る座後半部とを備えたものであり、
前記背もたれが起立姿勢にある場合に、前記座前半部を前傾姿勢にするとともに、前記座後半部を略水平姿勢にし、前記背もたれの起立姿勢から後傾姿勢への姿勢変更に伴って、前記座後半部を後傾させるとともに、当該座後半部の後傾に連動させて前記座前半部を後傾させる傾動機構を備えたものであることを特徴とする椅子。
【請求項２】
前記傾動機構が、前記背もたれを起立姿勢から後傾姿勢へ姿勢変更した際に、前記座前半部と前記座後半部とが側面視において連続した略直線状となるように前記座前半部及び前記座後半部をそれぞれ後傾させるものである請求項１記載の椅子。
【請求項３】
前記傾動機構が、前記背もたれの起立姿勢から後傾姿勢への姿勢に伴って、前記座後半部及び前記座前半部をそれぞれ浮き上がらせることなく後下方に沈み込ませるものである請求項１又は２記載の椅子。
【請求項４】
前記座の下方に配され且つ前記座前半部の前部を回転可能に支持する支持体と、
前記背もたれを支持し且つ異なる部位をそれぞれ前記座後半部の後部及び前記支持体に回転可能に連結した背支桿と、
上端部を前記座前半部と前記座後半部との連結部分に回転可能に連結し、且つ下端部を前記支持体に回転可能に連結した座中間連結リンクとを備えてなり、
前記傾動機構が、背もたれに後方への荷重が加わった際に、前記支持体に対する前記背支桿の連結部分を支点にした当該背支桿の後方への回動に伴って、前記座後半部を後下方へ引き込むとともに、前記支持体に対する前記座中間連結リンクの連結部分を支点にした当該座中間連結リンクの後方への回動に伴って、前記座前半部を後下方へ引き込むものである請求項１、２又は３記載の椅子。
【請求項５】
前記座が、座クッション体を有する座本体と、当該座本体の前半部を支持する座受け前半部と、前記座本体の後半部を支持し且つ前端部を前記座受け前半部の後端部に回転可能に連結した座受け後半部とを備えたものであり、
前記座前半部の前部が前記座受け前半部の前端部であり、
前記座後半部の後部が前記座受け後半部の後端部である請求項４記載の椅子。
【発明の詳細な説明】
【技術分野】
【０００１】
本発明は、背もたれと座とをシンクロさせて傾動させることのできるシンクロチルト機能を有した椅子に関するものである。
【背景技術】
【０００２】
従来より、脚等を取り付ける支持体と、この支持体に下端部を傾動可能に支持させた背支桿と、支持体に前端部をスライドかつ回転可能に支持させ、後端部を背支桿の基端部近傍に回転可能に支持させた座とを有し、背支桿に固定した背もたれを傾動させることにより、座の後端部が背支桿によって下後方に引っ張られて移動するように構成した椅子が挙げられる。
【０００３】
また、着座時に大腿部に受ける圧迫感を軽減して座り心地の良さを向上すべく、座全体が前傾姿勢となるように設定した椅子も知られている（例えば特許文献１、特許文献２参照）。
【特許文献１】特開昭６２―５３６１４号公報
【特許文献２】特開平９―１７３１７７号公報
【発明の開示】
【発明が解決しようとする課題】
【０００４】
しかしながら、着座時に大腿部に受ける圧迫感を軽減できるものの、座全体が前傾姿勢となるため、着座者に前方へ滑り落ちるような不安感を与えるという問題があった。
【０００５】
本発明は、このような課題に着目してなされたものであって、主たる目的は、背もたれと座とをシンクロさせて傾動させることのできる椅子において、背もたれが起立姿勢にある場合に着座者の大腿部への圧迫感を軽減するとともに、着座者に前方へ滑り落ちるような不安感を与えず、着座時の快適性を向上させることができる椅子を提供することにある。
【課題を解決するための手段】
【０００６】
すなわち、本発明の椅子は、起立姿勢と後傾姿勢との間で傾動可能な背もたれと、当該背もたれの傾動動作に連動して傾動する座とを備えたものであって、前記座が、主として着座者の大腿部を支持し得る座前半部と、主として着座者の臀部を支持し得る座後半部とを備えたものであり、前記背もたれが起立姿勢にある場合に、前記座前半部を前傾姿勢にするとともに、前記座後半部を略水平姿勢にし、前記背もたれの起立姿勢から後傾姿勢への姿勢変更に伴って、前記座後半部を後傾させるとともに、当該座後半部の後傾に連動させて前記座前半部を後傾させる傾動機構を備えたものであることを特徴とする。
【０００７】
このようなものであれば、傾動機構の作用により、背もたれが起立姿勢にある通常使用時は、座前半部が前傾姿勢となるため、大腿部が受ける圧迫感の軽減を有効に図ることができるととともに、座後半部が略水平姿勢となるため、この座後半部が臀部を安定した状態で支持し、前方へ滑り落ちるような不安感を着座者に与えることがなく、良好な座り心地を実現することができる。さらに、背もたれを起立姿勢から後傾姿勢へ姿勢変更した場合に、座後半部が後傾するとともに、座前半部も座後半部に連動して後傾するため、座全体がスムーズに姿勢変更し、着座者は臀部や大腿部への過度の負担を受けることなく楽なリクライニング姿勢をとることができる。なお、「座後半部を略水平姿勢にし」とは、「座後半部を完全な水平姿勢にし」ということはもちろんのこと、「座後半部を多少後傾した姿勢にし」という意味を包含する概念である。
【０００８】
特に、前記傾動機構が、前記背もたれを起立姿勢から後傾姿勢へ姿勢変更した際に、前記座前半部と前記座後半部とが側面視において連続した略直線状となるように前記座前半部及び前記座後半部をそれぞれ後傾させるものであれば、側面視において座前半部と座後半部との間に段差が大きく出る態様と比較して、着座者に違和感を与えることなく最適なリクライニング姿勢をとることができる。
【０００９】
また、背もたれの起立姿勢から後傾姿勢への姿勢変更時に、着座者に臀部が浮き上がるという違和感を与えることなく、スムーズな姿勢変更を実現するためには、前記傾動機構が、前記背もたれの起立姿勢から後傾姿勢への姿勢に伴って、前記座後半部及び前記座前半部をそれぞれ浮き上がらせることなく後下方に沈み込ませるものであることが好ましい。
【００１０】
さらに、前記座の下方に配され且つ前記座前半部の前部を回転可能に支持する支持体と、前記背もたれを支持し且つ異なる部位をそれぞれ前記座後半部の後部及び前記支持体に回転可能に連結した背支桿と、上端部を前記座前半部と前記座後半部との連結部分に回転可能に連結し、且つ下端部を前記支持体に回転可能に連結した座中間連結リンクとを備えてなり、前記傾動機構が、背もたれに後方への荷重が加わった際に、前記支持体に対する前記背支桿の連結部分を支点にした当該背支桿の後方への回動に伴って、前記座後半部を後下方へ引き込むとともに、前記支持体に対する前記座中間連結リンクの連結部分を支点にした当該座中間連結リンクの後方への回動に伴って、前記座前半部を後下方へ引き込むものであれば、従来の椅子に対して、座を座前半部と前記座後半部とに分割し、座を座前半部と前記座後半部との連結部分に座中間連結リンクを連結するという簡単な構造で、座前半部と座後半部との連動を確実に行わしめることができるとともに、座全体の動作安定性の向上を図ることができる。
【００１１】
具体的な実施態様としては、前記座が、着座面を有する座本体と、当該座本体の前半部を支持する座受け前半部と、前記座本体の後半部を支持し且つ前端部を前記座受け前半部の後端部に回転可能に連結した座受け後半部とを備えたものであり、前記座前半部の前部が前記座受け前半部の前端部であり、前記座後半部の後部が前記座受け後半部の後端部である態様が挙げられる。このようなものであれば、座のうち、構造体（骨格）として機能する座受けを前半部と後半部とに２分割して傾動機構の一部を構成することができ、座本体に対しては従来品と同様に快適なクッション性を他の要因に制約されることなく追求することができる。しかも、座本体を前半部と後半部とに分割せずに一体のものにすることによって外観上の向上をも有効に図ることができる。
【発明の効果】
【００１２】
以上説明したように本発明によれば、背もたれと座とをシンクロさせて傾動させることのできるとともに、背もたれが起立姿勢にある場合に着座者の大腿部への圧迫感を軽減するとともに、着座者に前方へ滑り落ちるような不安感を与えず、良好な座り心地を実現することができる。
【発明を実施するための最良の形態】
【００１３】
以下、本発明の一実施形態を、図面を参照して説明する。
本実施形態に係る椅子１は、図１示すように、脚２と、脚２の上端側に取り付けた支持体３と、支持体３に支持された座４と、起立姿勢（５Ｘ）と後傾姿勢（５Ｙ）との間で傾動可能な背もたれ５と、背もたれ５を支持し且つ下端部を支持体３に回転可能に連結した背支桿６とを備えたものである。
【００１４】
支持体３は、図１〜図３等に示すように、底壁が斜め前方に傾斜して立ち上がり、内側に上方に開口する空間を有する支持体本体３１と、支持体本体３１の前端部位に一体的に設けた補強支持体３２とを備えたものである。
【００１５】
支持体本体３１は、底板３１１と、底板３１１の側縁からそれぞれ一体に屈曲起立させた一対の側板３１２とを備えた概略舟形状のもので、底板３１１の後端部を脚２の上端部に取り付けている。
【００１６】
補強支持体３２は、支持体本体３１の側板３１２にそれぞれ固着した一対の板状の部材からなり、下端部を、支持体本体３１の前端部位における底板３１１よりも下方に突出させたものである。
【００１７】
支持体３の前端部に、支持体３と座４の前部とを連結するための第１軸Ｘ１を前後方向に沿ってスライド可能に支持する長孔３ａを形成している。また、この支持体３は、前記第１軸Ｘ１よりも前記脚２側に変位した位置に、支持体３と背支桿６の下端部とを連結するための第２軸Ｘ２を架設している。さらに、この支持体３は、第１軸Ｘ１と第２軸Ｘ２との間に、支持体３と後述する座中間連結リンク７の下端部とを連結するための第３軸Ｘ３を架設している。本実施形態では、第３軸Ｘ３を補強支持体３２の下端部間に架設している。なお、支持体３の下方から図示しない下カバーを被せている。
【００１８】
座４は、着座面を有する座本体４１と、座本体４１の前半部を支持する座受け前半部４２と、座本体４１の後半部を支持する座受け後半部４３と、座受け前半部４２に固定される座シェル前半部４４と、座受け後半部４３に固定される座シェル後半部４５とを備えたものである。
【００１９】
座本体４１は、座クッション体４１１と、この座クッション体４１１を被覆する座カバー体４１２とを備えたものである。本実施形態では、座クッション体４１１及び座カバー体４１２をそれぞれ単一の部材から構成している。なお、図１では座クッション体４１１及び座カバー体４１２を想像線で示しているが、他の図面では省略している。
【００２０】
座受け前半部４２は、前後方向に延伸する一対の縦フレーム４２１と、これら縦フレーム４２１の前端部間、後端部間にそれぞれ突き抜けて設けた一対の横フレーム４２２と、横フレーム４２２の端部同士を連結し且つ座シェル前半部４４を固定するための固定フレーム４２３とを備えたものである。
【００２１】
座受け後半部４３は、前後方向に延伸する一対の縦フレーム４３１と、これら縦フレーム４３１の前端部間、後端部間にそれぞれ突き抜けて設けた一対の横フレーム４３２と、横フレーム４３２の端部同士を連結し且つ座シェル後半部４５を固定するための固定フレーム４３３とを備えたものである。
【００２２】
そして、座受け前半部４２の後端部と座受け後半部４３の前端部とを第４軸Ｘ４を介して連結している。また、座受け前半部４２の前端部を前記第１軸Ｘ１を介して支持体３の前端部に回転可能に連結し、座受け後半部４３の後端部を第５軸Ｘ５を介して背支桿６に回転可能に連結している。
【００２３】
座シェル前半部４４及び座シェル後半部４５は、相互に独立したものであり、それぞれ座本体４１に掛かる荷重を均等に支持する構造部材としての役割を担うものである。
【００２４】
そして、座受け前半部４２と、座シェル前半部４４と、座本体４１のうち座受け前半部４２に支持される部位とによって、主として着座者の大腿部を支持し得る座前半部４Ａを構成するとともに、座受け後半部４３と、座シェル後半部４５と、座本体４１のうち座受け後半部４３に支持される部位とによって主として着座者の臀部を支持し得る座後半部４Ｂを構成している。
【００２５】
また、本実施形態では、座受け前半部４２の後端部と、座受け後半部４３の前端部とを連結する前記第４軸Ｘ４に、座中間連結リンク７の上端部を回転可能に連結している。
【００２６】
座中間連結リンク７は、略直線状をなす左右一対の座中間連結リンク本体７１と、これら座中間連結リンク本体７１の中間部間に設けた横フレーム７２とを備えたものである。座中間連結リンク本体７１の下端部を前記第３軸Ｘ３を介して支持体３に連結するとともに、座中間連結リンク本体７１の上端部を前記第４軸Ｘ４を介して座受け前半部４２と座受け後半部４３との連結部分に連結している。
【００２７】
背支桿６は、後方に傾斜して立ち上がる左右一対の板状の背支桿本体６１と、背支桿本体６１の上端部側に一体的に設けた補強フレーム６２とを備えたものである。補強フレーム６２は、背支桿本体６１にそれぞれ重合させて固着した一対の板状の部材からなり、下端部を背支桿本体６１に重合し得ないように前方に突出させた形状をなすものである。
【００２８】
そして、背支桿本体６１の下端部を前記第２軸Ｘ２を介して支持体３に連結し、この第２軸Ｘ２を中心に支持体３に対して回転可能にしている。また、前記第５軸Ｘ５を介して補強フレーム６２の下端部を座受け後半部４３の後端部に回転可能に連結している。すなわち、第２軸Ｘ２を介して背支桿６の下端部を支持体３に回転可能に連結するとともに、第５軸Ｘ５を介して第２軸Ｘ２よりも上端部側に変位した部位を座受け後半部４３の後端部に回転可能に連結している。
【００２９】
背もたれ５は、背支桿６に同期傾動可能に固定したものである。
【００３０】
なお、本実施形態に係る椅子１は、背支桿６と支持体３との間に設けたガススプリング８を用いて背もたれ５の傾動状態を制動する傾動制動装置と、支持体３内に設けられ且つ背もたれ５を後傾させる際の反力を調整するための反力調整装置とを具備してなる。
【００３１】
しかして、本実施形態に係る椅子１は、背もたれ５の後傾動作に座４を連動させる傾動機構９を備えている。
【００３２】
傾動機構９は、支持体３と、座受け前半部４２と、座受け後半部４３と、背支桿６と、座中間連結リンク７とから構成されたものである。具体的には、支持体３と、座中間連結リンク７と、座受け後半部４３と、背支桿６とを互いに回転可能に連結した不等長四辺リンク機構を形成し、その作用により、背支桿６の後傾動作に伴って、座受け後半部４３全体を後下方へ引き込むとともに、座中間連結リンク７の後方への回動に伴って、座受け前半部４２を後下方へ引き込むものである。すなわち、本実施形態に係る傾動機構９は、背もたれ５の傾動に伴って背支桿６と座４とをシンクロチルトさせるとともに、座受け前半部４２と座受け後半部４３との相対角度を変更可能にしたものである。
【００３３】
ここで、支持体３と座受け前半部４２の前端部との連結部分は、支持体３側に設けた長孔３ａと、該長孔３ａに沿ってスライド移動可能し得るように座４に設けた第１軸Ｘ１とでスライド係合構造を採用している。また、支持体３と背支桿６の下端部との連結部分、支持体３と座中間連結リンク７の下端部との連結部分、座受け前半部４２の後端部と座受け後半部４３の前端部と座中間連結リンク７の上端部との連結部分、背支桿６の中間部分と座受け後半部４３の後端部との連結部分は、それぞれ第２軸Ｘ２、第３軸Ｘ３、第４軸Ｘ４、第５軸Ｘ５と対応する各軸孔を介して連結した枢着構造を採用している。
【００３４】
背もたれ５に荷重が掛かっていない状態における各連結部分（第１軸Ｘ１、第２軸Ｘ２、第３軸Ｘ３、第４軸Ｘ４、第５軸Ｘ５）の相対位置関係は、以下のように設定している。つまり、支持体３と座前半部４Ａの前部（座受け前半部４２の前端部）との連結部分（第１軸Ｘ１）を、図１及び図２に示すように、支持体３と背支桿６の下端部との連結部分（第２軸Ｘ２）、支持体３と座中間連結リンク７の下端部との連結部分（第３軸Ｘ３）よりも前上方に設定し、背支桿６の中間部分と座後半部４Ｂの後部（座受け後半部４３の後端部）との連結部分（第５軸Ｘ５）を、支持体３と背支桿６の下端部との連結部分（第２軸Ｘ２）、支持体３と座中間連結リンク７の下端部との連結部分（第３軸Ｘ３）より後上方に設定している。また、座受け前半部４２の後端部と座受け後半部４３の前端部と座中間連結リンク７の上端部との連結部分（第４軸Ｘ４）を、支持体３と座前半部４Ａの前部（座受け前半部４２の前端部）との連結部分（第１軸Ｘ１）、支持体３と背支桿６の下端部との連結部分（第２軸Ｘ２）、支持体３と座中間連結リンク７の下端部との連結部分（第３軸Ｘ３）よりも後上方に設定し、且つ背支桿６の中間部分と座後半部４Ｂの後部（座受け後半部４３の後端部）との連結部分（第５軸Ｘ５）と略同一高さ位置に設定している。また、支持体３と背支桿６の下端部との連結部分（第２軸Ｘ２）を、支持体３と座中間連結リンク７の下端部との連結部分（第３軸Ｘ３）よりも後方であって、且つ支持体３と座中間連結リンク７の下端部との連結部分（第３軸Ｘ３）と略同一高さ位置に設定している。
【００３５】
各連結部分（第１軸Ｘ１、第２軸Ｘ２、第３軸Ｘ３、第４軸Ｘ４、第５軸Ｘ５）の相対位置関係をこのように設定しているため、背もたれ５に荷重が掛かっていない状態、つまり背もたれ５が図１に示す起立姿勢（５Ｘ）にある場合、座受け前半部４２が前傾姿勢になるとともに、座受け後半部４３が略水平姿勢になり、これら座受け前半部４２又は座受け後半部４３を構造体とする座前半部４Ａが前傾姿勢となり、座後半部４Ｂが略水平姿勢となる。
【００３６】
一方、背もたれ５に後方への荷重が加わった際は、図４〜図６に示すように、背支桿６が、第２軸Ｘ２を支点にして後方に回動するとともに、座受け後半部４３が、第５軸Ｘ５を介して浮き上がることなく後下方へ引き込まれる。この座受け後半部４３の後下方への移動に連動して、座中間連結リンク７が、第３軸Ｘ３を支点にして後方へ回動し、座受け前半部４２が、第１軸Ｘ１を長孔３ａに沿ってスライド移動させながら、第４軸Ｘ４を介して浮き上がることなく後下方へ引き込まれる。この状態において、座受け前半部４２の後端部が座受け前半部４２の前端部よりも下方に位置付けられるとともに、座受け後半部４３の後端部が座受け後半部４３の前端部よりも下方に位置付けられる。その結果、背もたれ５が後傾姿勢（５Ｙ）にある場合、座受け前半部４２及び座受け後半部４３がそれぞれ後傾姿勢になり、これら座受け前半部４２又は座受け後半部４３を構造体とする座前半部４Ａ及び座後半部４Ｂがそれぞれ後傾姿勢となる。本実施形態では、座受け後半部４３及び座受け前半部４２が相互に連続した略直線状をなすように設定している。
【００３７】
このように、本実施形態に係る椅子１は、傾動機構９の作用により、背もたれ５が起立姿勢（５Ｘ）にある通常使用時は、座前半部４Ａが前傾姿勢となるとともに、座後半部４Ｂが略水平姿勢となるため、大腿部が受ける圧迫感の軽減を図ることができるととともに、座後半部４Ｂによって臀部を安定した状態で支持し、前方へ滑り落ちるような不安感を着座者に与えることがなく、良好な座り心地を実現することができる。さらに、背もたれ５を起立姿勢（５Ｘ）から後傾姿勢（５Ｙ）へ姿勢変更した場合に、座後半部４Ｂが後傾するとともに、座前半部４Ａも座後半部４Ｂに連動して後傾するため、座４全体がスムーズに姿勢変更し、着座者は臀部や大腿部への過度の負担を受けることなく楽なリクライニング姿勢をとることができる。
【００３８】
特に、傾動機構９が、背もたれ５を起立姿勢（５Ｘ）から後傾姿勢（５Ｙ）へ姿勢変更した際に、座前半部４Ａと座後半部４Ｂとが側面視において連続した略直線状となるように座前半部４Ａ及び座後半部４Ｂをそれぞれ後傾させるものであるため、側面視において座前半部と座後半部との間に段差が大きく出る態様と比較して、着座者に違和感を与えることなく着座者は最適なリクライニング姿勢をとることができる。
【００３９】
さらに、傾動機構９が、背もたれ５の起立姿勢（５Ｘ）から後傾姿勢（５Ｙ）への姿勢に伴って、座後半部４Ｂ及び座前半部４Ａをそれぞれ浮き上がらせることなく後下方に沈み込ませるものであるため、着座者に臀部が浮き上がるという違和感を与えることなく、スムーズな姿勢変更を実現できる。
【００４０】
加えて、傾動機構９が、下端部を背支桿６に回転可能に連結し且つ上端部を座前半部４Ａと座後半部４Ｂの前端部と連結部分（第４軸Ｘ４）に回転可能に連結した座中間連結リンク７を備えたものであり、背もたれ５に後方への荷重が加わった際に、支持体３に対する背支桿６の連結部分（第２軸Ｘ２）を支点にした背支桿６の後方への回動に伴って、座後半部４Ｂを後下方へ引き込むとともに、支持体３に対する座中間連結リンク７の連結部分（第３軸Ｘ３）を支点にした座中間連結リンク７の後方への回動に伴って、座前半部４Ａを後下方へ引き込むものであるため、座中間連結リンク７を用いるという簡単な構造で、座前半部４Ａと座後半部４Ｂとの連動の円滑性及び安定性の向上を図ることができる。
【００４１】
また、座４が、座クッション体４１１を有する座本体４１と、座本体４１の前半部を支持する座受け前半部４２と、座本体４１の後半部を支持し且つ前端部を座受け前半部４２の後端部に回転可能に連結した座受け後半部４３とを備えたものであり、座受け前半部４２の前端部を支持体３に回転可能に支持させ、座受け後半部４３の後端部を背支桿６に回転可能に連結し、座受け前半部４２と座受け後半部４３との連結部分（第４軸Ｘ４）に座中間連結リンク７の上端部を回転可能に連結しているため、座４のうち、構造体（骨格）として機能する座受けを前半部４２と後半部４３とに２分割して傾動機構の一部を構成することができ、座本体に対しては従来品と同様に快適なクッション性を他の要因に制約されることなく追求することができる。しかも、座本体４１を前半部と後半部とに分割せずに一体のものにすることによって外観上の向上をも有効に図ることができる。
【００４２】
なお、本発明は、以上に詳述した実施形態に限られるものではない。
【００４３】
例えば、座前半部と座後半部（例えば座受け前半部と座受け後半部）とをヒンジ機構を介して相対角度変更可能に接続しても構わない。或いは、座前半部と座後半部とを可撓性を有する変形部を介して相対角度変更可能に接続しても構わない。
【００４４】
また、座が、シェル構造体のみからなるものである場合、このシェル構造体の前半部を本発明の「座前半部」とするとともに、後半部を本発明の「座後半部」としてそれぞれ機能させても構わない。
【００４５】
また、座が、座クッション体を有する座本体を備えたものである場合、座本体自体を座本体前半部と座本体後半部とに分割しても構わない。
【００４６】
また、前記実施形態では事務用椅子を例示したが、これに限らず、電車等の車両に適用される椅子であっても構わない。
【００４７】
その他、各部の具体的構成についても上記実施形態に限られるものではなく、本発明の趣旨を逸脱しない範囲で種々変形が可能である。
【図面の簡単な説明】
【００４８】
【図１】本発明の一実施形態に係る椅子であり、背もたれが起立姿勢にある状態を模式的に示す側面図。
【図２】図１の要部拡大を一部省略して示す図。
【図３】図１の要部拡大を一部省略して示す概略図。
【図４】同実施形態に係る椅子であり、背もたれが後傾姿勢にある状態を図１に対応して示す図。
【図５】図４の要部拡大を図２に対応して示す図。
【図６】同実施形態に係る椅子であり、背もたれが起立姿勢と後傾姿勢との中間姿勢にある状態を図１に対応して示す図。
【符号の説明】
【００４９】
１…椅子
３…支持体
４…座
４１…座本体
４２…座受け前半部
４３…座受け後半部
４Ａ…座前半部
４Ｂ…座後半部
５…背もたれ
（５Ｘ）…起立姿勢
（５Ｙ）…後傾姿勢
６…背支桿
７…座中間連結リンク
９…傾動機構
【図１】
2008212399.tif 000003
【図２】
2008212399.tif 000004
【図３】
2008212399.tif 000005
【図４】
2008212399.tif 000006
【図５】
2008212399.tif 000007
【図６】
2008212399.tif 000008